(57)【要約】【課題】従来の風力発電装置では、発電効率を上げるために大型のプロペラ形風車を設置していたが、回転羽根の直径が大きく場所を取り場所のコストが掛かり過ぎていた。又、小型にすれば発電力が少なく、さらに強風対策としてワイヤー等を施し景観を悪くしていたので、これらの課題を解決する。【解決手段】風力発電装置の垂直軸形風力発電装置ｂ・ｃの上にプロペラ形風力発電装置ａを合体させ羽根や軸を改良して発電効率を向上し強風対策が出来て、さらに場所を取らずに設置することが出来る風力発電装置である。【選択図】図１
2006090246.tif 000002
【特許請求の範囲】
【請求項１】
垂直軸形揚力風力発電装置の垂直回転軸に、垂直軸形抗力発電装置の抗力風杯を接合し併用した垂直軸揚抗力併用風力発電装置の上に、プロペラ形風力発電装置の風向回転軸下部を差込んで合体した風力発電装置。
【請求項２】
プロペラ形風力発電装置の風向回転軸に風道を中に施し、その回転軸を左右翼形状に配置したことを特徴とする請求項１記載の風力発電装置。
【請求項３】
垂直軸形風力発電装置の垂直回転軸が外周羽根直径φの0.7％〜60％範囲の大きさ形状にして、その垂直回転軸の中に固定軸を垂直回転軸内径直径φの70％〜99.9％範囲で設置したことを特徴とする請求項１又は２記載の風力発電装置。
【請求項４】
垂直軸形風力発電装置の横回転羽根を回転軸から外周羽根まで上り角度を付けて、その横回転羽根の中に重りと潤滑油を入れ、遠心力と慣性の法則を利用したことを特徴とする請求項１、２又は３記載の風力発電装置。
【請求項５】
プロペラ形風力発電装置の回転羽根を縦方向に風向前頭部と風向後尾部の2枚にして蝶番で接続し、羽根の風向側より裏側の前頭部に板バネを接着固定し後尾部羽根まで板バネを伸ばして、その羽根の後尾部を風向側より裏側へ折れるようにしたことを特徴とする請求項１、２、３又は４記載の風力発電装置。
【請求項６】
垂直軸形風力発電装置の揚力羽根の羽根を揚力が働く形状を残して羽根の両面に、風杯の働く窪みを入れて併用羽根にしたことを特徴とする請求項１、２、３、４又は５記載の風力発電装置。
【請求項７】
揚力抗力併用した羽根と、従来からある揚力羽根を交互に合体させたことを特徴とする請求項１、２、３、４、５、又は６記載の風力発電装置。
【発明の詳細な説明】
【技術分野】
【０００１】
本発明は、プロペラ形風車と垂直軸形揚力羽根風車、そして風杯形風車の３形式合体による風力発電装置に関するものである。
【背景技術】
【０００２】
本発明の風力発電装置に関しては、今までの大型風力から小型風力までの風力発電装置には、サボニウス風車とセイルウイング風車そしてソーラー発電との発電装置合体や、風力形同士の２形式を合体した風力発電装置（例えば、非特許文献１参照）、他に風力発電と他のエネルギー発電との合体装置したもの例えば、プロペラ形風力とソーラー発電の合体した発電装置がある。  
【０００３】
上記述べしたように、今までの風力発電装置合体では、プロペラ形と垂直軸形揚力羽根式と風杯形の風力発電装置を合体したものはない。
【０００４】
本発明の風力発電装置に関しては、従来のプロペラ形風力発電装置では、プロペラ形発電装置を支える支柱（鉄柱・鉄塔・コンクリート・木材などの構造物）の上に風向回転垂直軸を施して設置してあり、その風向回転垂直軸の形態が一枚の板状風向回転安定翼にしたものもある。
【０００５】
さらに上述べした、従来のプロペラ形風向回転垂直軸に、一枚板状の風向安定翼を施し風向安定させ発電効率向上させたものもある。（例えば、特許文献１参照）
【０００６】
本発明の風力発電装置に関しては、今までの垂直回転形風力発電装置で垂直軸形揚力羽根風力と風杯形風力発電装置で垂直回転軸を施しているものや、又は回転翼円周の中心部に施して無いものもある。
【０００７】
上記述べた、その垂直回転軸の強風対策として、回転軸の下に固定支柱等を施置したものや、回転に当たらない個所でワイヤー等の線を施して風対策したものが、非特許として従来からある。
【０００８】
風力発電装置に関しては、今までの垂直軸形揚力羽根風力発電装置には、おもりを施して慣性の法則（非特許文献2）を利用した、横回転羽根の発電効率を上げた垂直軸形風力発電装置は無かった。
【０００９】
また、今までのプロペラ形風車には、強風対策に羽根や装置を移動するもの、また羽根のピッチを変更して回転数制御装置を施したものがある。（例えば、非特許文献3参照）。
【００１０】
そして又、羽根先や羽根後方部の角度変更して回転数制御装置を施したものもある。（例えば、特許文献2）
【００１１】
非特許文献3には、図1５に示されるように、（ａ）は上方偏向式で、強風時羽根と発電モーターが共に上方向にむく方法。（ｂ）は側翼式で、強風時に横向きが下方にむく方法。（ｃ）は側方偏向式で、強風時に上向きが横方にむく方法。（ｄ）はコーニング式で、強風時には羽根が風下方向ににげる方法。（ｅ）は可変ピッチ式で、風車の回転数が上昇すると、おもりの質量に働く遠心力でピッチを変えて回転数をさげる方法。（ｆ）は抵抗翼式で、遠心力で抵抗版を起こし回転数が下がる方法で回転数制御しているプロペラ形風車について記載されている。
【００１２】
本発明の風力発電装置に関しては、従来の垂直軸形揚力羽根風車の風車羽根はプロペラ形状の揚力羽根と、一枚板の羽根で湾曲したものである。（例えば、非特許文献４参照）
【００１３】
【特許文献１】特開2004-052720号公報
【特許文献２】特開2002-303249号公報
【非特許文献１】風車入門、著者  牛山  泉、1997年、ｐ．145（写真）
【非特許文献２】物理入門コース１・力学、著者  戸田  盛和、1982年、ｐ・16
【非特許文献３】小型風車活用ガイド、著者  松本  文雄、2004年、ｐ．10
【非特許文献４】風車工学入門、著者  牛山  泉、2002年、ｐ．75、（表5.2）
【発明の開示】
【発明が解決しようとする課題】
【００１４】
従来の風力発電装置では、発電効率が良いプロペラ形が多く、発電力を上げるため大型化して場所を取り環境景観があまり良くない問題があった。これは発電力を上げるためプロペラの直径が大きくなり、その直径幅３６０゜の場所を取るためである。
【００１５】
また、他の風力発電装置では発電効率や発電力に問題があった。それは発電力を上げるために大型化すれば発電効率が下がり強風対策にコストが掛かり過ぎるし、小型では発電力不足で効率が悪かった。
【００１６】
従来の垂直軸形揚力羽根風力発電装置と風杯形風力発電装置では、強風対策の為に回転軸の下に大きな支柱や土台を設置しなくてはならない。
【００１７】
また、細い軸や支柱には強風対策の為にワイヤー等の線を施して補強しなくてはならない。
【００１８】
本発明は風力発電装置の発電効率向上を図り、強風対策を施し羽根破損防止したものである。
【課題を解決するための手段】
【００１９】
本発明の目的を達成するために、垂直軸形揚力羽根風車の軸に風杯形風車の風杯を縦軸にそって接続し、併合した風力発電装置の上にプロペラ形風力発電装置を合体して設置場所を少なくし、大型化や小型化しても発電効率と発電力を上げた風力発電装置である。
【００２０】
本発明の目的を達成するためにプロペラ形風車回転垂直軸を二枚羽根形状にして、その二枚羽根の間に風道を作り風向安定を増した、発電効率と強風の耐久性を図った風力発電装置である。
【００２１】
本発明の目的を達成するために、垂直軸形風力発電装置の垂直回転軸を外周回転羽根円周直径φの0.8％〜80％までの範囲に垂直回転軸を大きくして、その大きくした垂直回転軸の中に垂直固定軸を垂直回転軸内径直径φの70％〜99.9％までの範囲で施して、その隙間にベアリング等で垂直回転軸の回転を維持し固定した軸を設置する、その固定軸は固定支柱の先を装置に合わせて伸ばしそのまま利用する風力発電装置である。
【００２２】
また、その固定軸と支柱や土台を別々にして、設置場所の風力環境に合わせて接合して垂直回転軸の中に固定垂直支持軸用いた、強風対策を図る風力発電装置である。
【００２３】
本発明の目的を達成するために、垂直軸形揚力羽根風力発電装置の垂直回転軸から外周垂直回転羽根接合部まで伸びる横回転羽根数枚（垂直軸揚力羽根風車装置の大きさや環境規模で、横回転羽根の枚数が変わるので数枚とした。）を施して、垂直回転軸から外周垂直回転羽根まで伸びた横回転羽根に上り角度を付けて、その横回転羽根の中に重りを入れて風車装置が回転してないときには、横回転羽根と垂直回転軸接合部の所にあり、回転すると遠心力が働き横回転羽根の外周先端まで角度を上り回転しているときに慣性の法則に従い、急に風力が増しても重りで回転を抑え、急に風力が落ちても重りで回転を維持しようとして装置の回転力を安定させる風力発電装置である。
【００２４】
また，回転が止まると羽根の中の重りが元の位置にもどる風力発電装置である。
【００２５】
さらに、その重りと同じ所に潤滑油を入れて、重りの運動と共に羽根の中で移動して重さの質量を増す。そして、そのおもりの移動で羽根の中の磨耗や破損を防ぎ、重りの移動をし易くした装置で発電効率を向上させる風力発電装置である。
【００２６】
本発明の目的を達成するために、プロペラ形風力発電装置の回転羽根を縦に羽根を2枚に分け、その２枚にした個所に蝶番を施して接続し、その蝶番の後ろ（風向側の裏側）に板バネを施して、強風時に風力に合わせて蝶番より後方羽根が裏側に折れて回転制御する風力発電装置である。
【００２７】
本発明の目的を達成するために、風力発電装置の垂直羽根に既存のプロペラ形揚力羽根と揚力抗力併合した羽根を上下に数枚（風車装置の大きさや設置環境規模で、横回転羽根の枚数が変わるので数枚とした。）組み合わせ合体した羽根の風力発電装置である。
【００２８】
その上記述べた、揚力抗力を併合した羽根を以下、図３〜図５により説明する。ｂ10の頭部においてはプロペラ形揚力羽根と同じ形状で揚力作動し、ｂ11のくぼんだ所は外側風杯で回転時風向の正面から回転方向90°まで抗力作動し、ｂ12のくぼんだ所は内側風杯で風向から見た回転方向90°から170°付近（装置の回転軸の大小で風圧範囲が異なるので付近とした。）まで抗力作動する併合羽根で発電効率向上する発電装置ある。
【発明の効果】
【００２９】
本発明の合体した風力発電装置は、場所を取らずに大型化から小型化まで設置し易くコストを抑えて、発電効率を向上する事ができる。
【００３０】
本発明の風力発電装置は、プロペラ形風車風向回転垂直軸の改良によって、風向を安定させて強風対策ができる。
【００３１】
本発明の風力発電装置は、垂直回転軸に垂直固定軸を施して、発電装置が脱落したり倒れたりするのを防ぐことができる。
【００３２】
また、ワイヤー等の斜めの補強で場所を取らずに強風対策ができる。
【００３３】
本発明の風力発電装置は、風の強弱の波を重りで羽根の回転力を安定させて、発電効率を向上できる。
【００３４】
本発明の風力発電装置は、プロペラ形風車羽根の回転制御装置を簡素化した、新たな羽根である。
【００３５】
本発明の風力発電装置は、羽根の揚力と抗力を利用した揚力抗力胴体羽根と揚力羽根が合体した羽根で、風力発電効率を向上できる。
【発明を実施するための最良の形態】
【００３６】
以下、本発明の実施の形態を図1〜図8に基づいて説明する。
【００３７】
図においては、ａはプロペラ形風力発電装置全体を表し、ａの符号の後に番号が付いているのは、プロペラ形風力発電装置ａの各部品や機能を表す。
【００３８】
また、ｂは垂直軸形風力発電装置全体を表し、ｂの符号の後に番号が付いているのは、垂直軸形風力発電装置ｂの各部品や機能を表す。
【００３９】
図１〜図８に示す、風力発電装置合体に関して実施する形態は、垂直軸風力発電装置ｂの垂直回転軸ｂ4に抗力形風杯ｃを接続し、垂直軸風力発電装置ｂと抗力形風杯ｃを接合し併合した垂直軸形発電装置ｂ．ｃの上に、プロペラ形風力発電装置ａを垂直固定軸ｂ5の先端部の中に風向回転垂直軸下部ａ5-1を差込んで、垂直回転軸ａ5の回転を妨げないようにベアリングｂ13を施して３形式ａ．ｂ．ｃ合体した、風力風力発電装置の実施形態である。
【００４０】
図２、図６に示すように、プロペラ形風車風向回転垂直軸ａ5の風向安定と強風対策に関して実施する形態は、風向回転垂直軸ａ5に風道a6を設け、また、風向回転垂直軸ａ5を左右２枚の垂直翼形状にした、風力発電装置の実施形態である。
【００４１】
図２、図３に示すように、垂直回転軸ｂ4と垂直固定軸ｂ5の強風対策と耐久性を図った風力発電装置に関して実施する形態は、併合した垂直軸形発電装置ｂ．ｃの垂直回転軸ｂ4を回転装置外周羽根ｂ2．ｂ3の円周直径φの0.8％〜80％までの範囲に垂直回転軸ｂ4を大きくして、その大きくした垂直回転軸ｂ4の中に垂直固定軸ｂ5を垂直回転軸ｂ4直径φの70％〜99.9％までの範囲で施して、その隙間にベアリングｂ13等で垂直回転軸ｂ4の回転をじゃましないよう固定した軸を施した、風力発電装置の実施形態である。
【００４２】
図２、図３、図４に示すように、垂直軸形揚力羽根風力発電装置ｂの発電効率向上に、横回転羽根ｂ1揚力羽根と抗力風杯を施した羽根の中に重りｂ6と潤滑油ｂ7を施して遠心力と慣性の法則を利用した、横回転羽根ｂ1に関して実施する形態は、横回転羽根ｂ1を中心から外周に向けて上り角度ｂ8（1゜〜５０゜範囲）をつけて、その羽根に空洞b10を施し、さらにその中におもりｂ6と潤滑油ｂ7を入れた、風力発電装置の実施形態である。
【００４３】
図６、図７、図８に示すように、プロペラ回転羽根ａ7の強風による羽根破損防止のため回転制御を図った回転羽根ａ7に関して実施する形態は、回転羽根ａ7の羽根前頭部ａ7-1と羽根後尾部ａ7-2を蝶番ａ8で接合し、その接合した回転羽根ａ7の風向の裏側に板バネａ12を羽根前頭部ａ7-1に施着ａ11し羽根後尾部ａ7-2まで伸ばし設置させた、風力発電装置の実施形態である。
【００４４】
図２、図３、図５に示すように、垂直軸形風力発電装置ｂの縦羽根ｂ2・ｂ3の合体に関して実施する形態は、揚力羽根と抗力風杯図ｂ11・ｂ12を併合した、揚抗力併合羽根ｂ3を横回転羽根ｂ1の先端に接続した揚力羽根ｂ2の羽根と羽根の間に揚抗力併合羽根ｂ3を接合し、その風力発電装置の大きさに合わせた枚数を合体させた、風力発電装置の実施形態である。
【００４５】
本発明の風力発電装置は、図9家屋ｄの屋根、図10ビルｅの屋上、図11電柱及び鉄塔ｆのネットワーク設置、図12東屋ｇの上、図13燈台の上、図14海上フロートの上などに設置する。
【図面の簡単な説明】
【００４６】
【図１】本発明の実施形態を地上に設置した、風力発電装置の外観イメージ側面図
【図２】同風力発電装置の側面断面図
【図３】同垂直軸揚力抗力併用の風力発電装置平面図
【図４】同風力発電装置の横回転揚力羽根の根元A−Aと先端B−Bの断面図
【図５】同垂直軸揚力抗力合体縦羽根の揚力抗力併用羽根断面図
【図６】同プロペラ形風力発電装置の正面図
【図７】同プロペラ形風力発電装置の羽根C−C断面図
【図８】同プロペラ形風力発電装置の羽根風向裏側面図
【図９】同風力発電装置合体の家屋等の設置イメージ正面図
【図１０】同風力発電装置合体のビル等の設置イメージ側面図
【図１１】同風力発電装置合体の電柱や鉄塔等のネットワーク設置イメージ側面図
【図１２】同風力発電装置合体の東屋等の設置イメージ側面図
【図１３】同風力発電装置合体の燈台等の構造物設置イメージ正面図
【図１４】同風力発電装置合体の海上フロート等の設置イメージ側面図
【図１５】非特許文献３の参考図
【符号の説明】
【００４７】
ａ     プロペラ形風力発電装置全体
ｂ     縦軸形風力風向回転軸発電装置全体
ｃ     縦軸形風力発電装置の抗力風杯
ａ5    風向回転軸
ａ5-1  風向回転軸の差込円柱部
ａ6    風向回転軸風道
ａ7    羽根
ａ7-1  羽根の頭部
ａ7-2  羽根の後尾部
ａ7-3  羽根の後尾部作動図
ａ8    羽根の蝶番
ａ11   羽根の板バネ
ａ12   羽根の接着材
ｂ1    横回転羽根揚力羽根
ｂ2    縦回転羽根揚力羽根
ｂ3    縦回転羽根揚抗力併用羽根
ｂ4    垂直回転軸
ｂ5    垂直固定軸
ｂ6    重り
ｂ7    潤滑油
ｂ9    横回転羽根揚力羽根の勾配角度
ｂ10   横回転羽根揚力羽根内の補強及び、重りの移動空洞
ｂ11   縦回転羽根揚抗力併用羽根の外面風杯
ｂ12   縦回転羽根揚抗力併用羽根の内面風杯  
ｄ      家屋
ｅ      ビル
ｆ      電柱及び鉄塔
ｇ      東屋
ｈ      燈台
ｉ      海上フロート
【図１】
2006090246.tif 000003
【図２】
2006090246.tif 000004
【図３】
2006090246.tif 000005
【図４】
2006090246.tif 000006
【図５】
2006090246.tif 000007
【図６】
2006090246.tif 000008
【図７】
2006090246.tif 000009
【図８】
2006090246.tif 000010
【図９】
2006090246.tif 000011
【図１０】
2006090246.tif 000012
【図１１】
2006090246.tif 000013
【図１２】
2006090246.tif 000014
【図１３】
2006090246.tif 000015
【図１４】
2006090246.tif 000016
【図１５】
2006090246.tif 000017
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
垂直軸形風力発電装置に外周縦回転揚力羽を支持する横回転揚力羽を施し回転軸に接合して、また横回転揚力羽を支持する風杯を回転軸と横回転揚力羽の根元に接合し、強風対策を施した垂直軸形風力発電装置と、その垂直軸形風力発電装置の垂直回転軸直径を、外周羽直径の0.8％〜80％範囲で施した中に、強風対策した垂直固定軸柱を垂直回転軸内径の70％〜99.9％範囲で垂直固定軸柱を施し、垂直軸形風力発電装置の垂直固定軸柱上部に、風洞式風向回転プロペラ形風力発電装置を垂直軸形風力発電装置と同じ設置平面積で立体に併合して施したことを特徴とする風力発電装置。
【請求項２】
風洞式風向回転プロペラ形風力発電装置を、垂直軸形風力発電装置の垂直固定軸柱上部に併合した、風洞式風向回転プロペラ形風力発電装置の風向回転軸を、２枚羽にして風向風洞を施し風向安定させたことを特徴とする請求項１記載の風力発電装置。
【請求項３】
垂直軸形風力発電装置の横回転揚力羽に、回転軸より縦回転揚力羽の方向に、設置場所の平均風力で異なる傾斜角度、弱風域では2度の傾斜角度、強風域では20度の傾斜角度範囲に施し、横回転揚力羽の中空にパイプを回転軸より縦回転揚力羽の方向に羽補強を施して、そのパイプの中に球状の固体質量を入れ羽が回転すると先端に留まり、急な強風には回転を制御し、急な弱風に回転を維持しょうとする、風波エネルギーを保存させることを特徴とする請求項１又は２記載の風力発電装置。
【請求項４】
風洞式風向回転プロペラ形風力発電装置の重心に位置する風洞外壁横に、揚力横羽の長さが風洞外壁直径の10％〜50％範囲、羽の幅は風洞全長の10％〜25％範囲で施し、その揚力横羽の揚力面を下に向けて強風時に風洞式風向回転プロペラ形風力発電装置と、垂直軸形風力発電装置回転軸羽の高速回転制御し破損防止の強風安定翼を施したことを特徴とする請求項１、２又は３記載の風力発電装置。
【請求項５】
垂直軸形風力発電装置の縦回転揚力羽を支持る横回転揚力羽を施した、垂直軸形風力発電装置直径の大きさに応じて２、３、４と羽の数を増して施し、１番下羽から揚力を上方向に働かせ、下から２番目羽揚力を下方向に働かせる順序で配置して、横回転揚力羽の上下バランスを保持することを特徴とする請求項１、２、３又は４記載の風力発電装置。
【請求項６】
風洞式風向回転プロペラ形風力発電装置の風洞外壁にロゴマーク、国旗、宣伝広告の媒体にしたことを特徴とする請求項１、２、３、４又は５記載の風力発電装置。
【請求項７】
風力発電装置を電柱、鉄塔、通信施設に施し、ネットワークで発電し電力供給送電ができること特徴とする請求項１、２、３、４、５又は６記載の風力発電装置。
【請求項８】
風力発電装置を灯台の投光箇所上部に風洞式風向回転プロペラ形風力発電装置を施して、投光箇所下部に垂直軸形風力発電装置を施した灯台の電力供給を特徴とする請求項１、２、３、４、５、６又は７記載の風力発電装置。
【請求項９】
風力発電装置を企業、施設、家屋、看板塔、送電施設、通信施設、信号機、標識、街灯、野外灯、海上フロート等に施したことを特徴とする請求項１、２、３、４、５、６、７又は８記載の風力発電装置。
【請求項１０】
垂直軸形風力発電装置設置の回転軸に永久磁石を施し、固定軸に永久磁石、及び磁気コイルを施して発電することを特徴とする請求項１、２、３、４、５、６、７、８又は９記載の風力発電装置。
【手続補正２】
【補正対象書類名】図面
【補正対象項目名】図２
【補正方法】変更
【補正の内容】
【図２】
2006090246.tif 000018
【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
垂直軸形風力発電装置に外周縦回転揚力羽を支持する横回転揚力羽を施し回転軸に接合して、また横回転揚力羽を支持する風杯を回転軸と横回転揚力羽の根元に接合した垂直軸形風力発電装置と、その垂直軸形風力発電装置の垂直回転軸直径を、外周羽直径の0.8％〜80％範囲で施した中に、垂直固定軸柱を垂直回転軸内直径の70％〜99.9％範囲内で設置し、垂直軸形風力発電装置の垂直固定軸柱上部に、風洞式風向回転プロペラ形風力発電装置を垂直軸形風力発電装置と同じ設置平面積で立体に併合して施したことを特徴とする風力発電装置。
【請求項２】
風洞式風向回転プロペラ形風力発電装置を、垂直軸形風力発電装置の垂直固定軸柱上部に併合した、風洞式風向回転プロペラ形風力発電装置の風向回転軸を、２枚羽にして風向風洞を施し風向安定させたことを特徴とする請求項１記載の風力発電装置。
【請求項３】
垂直軸形風力発電装置の横回転揚力羽に、回転軸より縦回転揚力羽の方向に、設置場所の平均風力で異なる傾斜角度、弱風域では2度の傾斜角度、強風域では20度の傾斜角度範囲に施し、横回転揚力羽の中空にパイプを回転軸より縦回転揚力羽の方向に羽補強を施して、そのパイプの中に球状の固体質量を入れ羽が回転すると先端に留まり、急な強風には回転を制御し、急な弱風に回転を維持しょうとする、風波エネルギーを保存させることを特徴とする請求項１又は２記載の風力発電装置。
【請求項４】
風力発電装置を灯台の投光箇所上部に風洞式風向回転プロペラ形風力発電装置を施して、投光箇所下部に垂直軸形風力発電装置を施した灯台の電力供給を特徴とする請求項１、２、又は３記載の風力発電装置。
【手続補正２】
【補正対象書類名】図面
【補正対象項目名】図２
【補正方法】変更
【補正の内容】
【図２】
2006090246.tif 000019